(57)【特許請求の範囲】
【請求項１】
通信ネットワーク内で動作するユーザ機器（ＵＥ）においてアップリンク（ＵＬ）電力割り当てを制御するための方法であって、
前記ＵＥにおける使用のために、少なくとも第１のＵＬ電力割り当て技法と第２のＵＬ電力割り当て技法との間で電力割り当て技法を選択すること（４００）と、
選択される前記電力割り当て技法を前記ＵＥにおいて用いて、アップリンクデータが送信される少なくとも２つのキャリアの間で送信電力を割り当てることにより前記アップリンクデータを送信すること（４０２）と、
を含み、
前記ＵＥがデュアルバンドデュアルセル高速アップリンクパケットアクセス（ＤＢ−ＤＣ−ＨＳＵＰＡ）モードで動作しており且つ第２のキャリアがアクティブである場合において、サービンググラントが予め決定される閾値を下回るときに前記第２のＵＬ電力割り当て技法が選択され、そうではないときに前記第１のＵＬ電力割り当て技法が選択される、方法。
【請求項２】
通信ネットワーク内で動作するユーザ機器（ＵＥ）においてアップリンク（ＵＬ）電力割り当てを制御するための方法であって、
前記ＵＥにおける使用のために、少なくとも第１のＵＬ電力割り当て技法と第２のＵＬ電力割り当て技法との間で電力割り当て技法を選択すること（４００）と、
選択される前記電力割り当て技法を前記ＵＥにおいて用いて、アップリンクデータが送信される少なくとも２つのキャリアの間で送信電力を割り当てることにより前記アップリンクデータを送信すること（４０２）と、
を含み、
前記ＵＥがデュアルバンドデュアルセル高速アップリンクパケットアクセス（ＤＢ−ＤＣ−ＨＳＵＰＡ）モードで動作しており且つ第２のキャリアがアクティブである場合において、サービンググラントが予め決定される閾値を下回り且つ前記ＵＥが電力的に限られているときに前記第２のＵＬ電力割り当て技法が選択され、そうではないときに前記第１のＵＬ電力割り当て技法が選択される、方法。
【請求項３】
前記第１のＵＬ電力割り当て技法は、専用物理制御チャネル（ＤＰＣＣＨ）の品質及び各キャリアについてのサービンググラントに基づいて決定される、パラレルスプリット電力割り当て法である、請求項１又は２に記載の方法。
【請求項４】
前記第２のＵＬ電力割り当て技法は、最良のキャリアから最悪のキャリアへ順に各キャリアについてのサービンググラントまで電力が割り当てられる、電力センシティブ電力割り当て方式である、請求項１から３のいずれか1項に記載の方法。
【請求項５】
選択される前記電力割り当て技法に少なくとも部分的に基づいて、データ割り当て方式が選択される、請求項１から４のいずれか1項に記載の方法。
【請求項６】
選択すべき前記ＵＬ電力割り当て技法の選択肢は、前記通信ネットワークから受信される、請求項１から５のいずれか1項に記載の方法。
【請求項７】
前記ＵＬ電力割り当て技法の前記選択は、前記ＵＥにおいて行われる、請求項１から６のいずれか1項に記載の方法。
【請求項８】
前記ＵＬ電力割り当て技法の前記選択は、ネットワークにより構成されるパラメータ、２つのキャリアの間の専用物理制御チャネル（ＤＰＣＣＨ）電力レベルにおける差異の関数、一方又は双方のキャリアについての絶対ＤＰＣＣＨ電力レベルの関数、前記２つのキャリアの間のサービンググラントにおける差異の関数、前記２つのキャリアについての絶対サービンググラントの関数、前記ＵＥにおける電力ステータスの関数、及び、ＵＬキャリアに対応するＤＬキャリアについての測定されるダウンリンク（ＤＬ）品質の関数、のうちの少なくとも１つに少なくとも部分的に基づく、請求項１から７のいずれか1項に記載の方法。
【請求項９】
前記予め決定される閾値は、前記通信ネットワークにより決定され、少なくとも１つの無線リソース制御（ＲＲＣ）メッセージを介して前記ＵＥへ通信される、請求項１から８のいずれか1項に記載の方法。
【請求項１０】
アップリンク（ＵＬ）電力割り当てが制御される通信ネットワーク内のユーザ機器（ＵＥ）（５０２）であって、
前記ＵＥにおける使用のために、少なくとも第１のＵＬ電力割り当て技法と第２のＵＬ電力割り当て技法との間で電力割り当て技法を選択する、ように構成されるプロセッサ（５０６）、
を備え、
前記プロセッサ（５０６）は、選択される前記電力割り当て技法を前記ＵＥにおいて用いて、アップリンクデータが送信される少なくとも２つのキャリアの間で送信電力を割り当てることにより前記アップリンクデータを送信するように構成され、
前記ＵＥがデュアルバンドデュアルセル高速アップリンクパケットアクセス（ＤＢ−ＤＣ−ＨＳＵＰＡ）モードで動作しており且つ第２のキャリアがアクティブである場合において、サービンググラントが予め決定される閾値を下回るときに前記第２のＵＬ電力割り当て技法が選択され、そうではないときに前記第１のＵＬ電力割り当て技法が選択される、ユーザ機器。
【請求項１１】
アップリンク（ＵＬ）電力割り当てが制御される通信ネットワーク内のユーザ機器（ＵＥ）（５０２）であって、
前記ＵＥにおける使用のために、少なくとも第１のＵＬ電力割り当て技法と第２のＵＬ電力割り当て技法との間で電力割り当て技法を選択する、ように構成されるプロセッサ（５０６）、
を備え、
前記プロセッサ（５０６）は、選択される前記電力割り当て技法を前記ＵＥにおいて用いて、アップリンクデータが送信される少なくとも２つのキャリアの間で送信電力を割り当てることにより前記アップリンクデータを送信するように構成され、
前記ＵＥがデュアルバンドデュアルセル高速アップリンクパケットアクセス（ＤＢ−ＤＣ−ＨＳＵＰＡ）モードで動作しており且つ第２のキャリアがアクティブである場合において、サービンググラントが予め決定される閾値を下回り且つ前記ＵＥが電力的に限られているときに前記第２のＵＬ電力割り当て技法が選択され、そうではないときに前記第１のＵＬ電力割り当て技法が選択される、ユーザ機器。
【請求項１２】
前記第１のＵＬ電力割り当て技法は、専用物理制御チャネル（ＤＰＣＣＨ）の品質及び各キャリアについてのサービンググラントに基づいて決定される、パラレルスプリット電力割り当て法である、請求項１０又は１１に記載のユーザ機器。
【請求項１３】
前記第２のＵＬ電力割り当て技法は、最良のキャリアから最悪のキャリアへ順に各キャリアについてのサービンググラントまで電力が割り当てられる、電力センシティブ電力割り当て方式である、請求項１０から１２のいずれか１項に記載のユーザ機器。
【請求項１４】
選択される前記電力割り当て技法に少なくとも部分的に基づいて、データ割り当て方式が選択される、請求項１０から１３のいずれか１項に記載のユーザ機器。
【請求項１５】
選択すべき前記ＵＬ電力割り当て技法の選択肢は、前記通信ネットワークから受信される、請求項１０から１４のいずれか１項に記載のユーザ機器。
【請求項１６】
前記ＵＬ電力割り当て技法の前記選択は、前記ＵＥにおいて行われる、請求項１０から１５のいずれか１項に記載のユーザ機器。
【請求項１７】
前記ＵＬ電力割り当て技法の前記選択は、ネットワークにより構成されるパラメータ、２つのキャリアの間の専用物理制御チャネル（ＤＰＣＣＨ）電力レベルにおける差異の関数、一方又は双方のキャリアについての絶対ＤＰＣＣＨ電力レベルの関数、前記２つのキャリアの間のサービンググラントにおける差異の関数、前記２つのキャリアについての絶対サービンググラントの関数、前記ＵＥにおける電力ステータスの関数、及び、ＵＬキャリアに対応するＤＬキャリアについての測定されるダウンリンク（ＤＬ）品質の関数、のうちの少なくとも１つに少なくとも部分的に基づく、請求項１０から１５のいずれか１項に記載のユーザ機器。
【請求項１８】
前記予め決定される閾値は、前記通信ネットワークにより決定され、少なくとも１つの無線リソース制御（ＲＲＣ）メッセージを介して前記ＵＥへ通信される、請求項１０から１７のいずれか１項に記載のユーザ機器。
【請求項１９】
通信ネットワーク（５１２，５１４）内で動作するユーザ機器（ＵＥ）（５０２）において、
前記ＵＥにおける使用のために、少なくとも第１のアップリンク（ＵＬ）電力割り当て技法と第２のＵＬ電力割り当て技法との間で電力割り当て技法を選択すること（４００）と、
選択される前記電力割り当て技法を前記ＵＥにおいて用いて、アップリンクデータが送信される少なくとも２つのキャリアの間で送信電力を割り当てることにより前記アップリンクデータを送信すること（４０２）と、
により、ＵＬ電力割り当てを制御する、ように適合される装置であって、
前記ＵＥがデュアルバンドデュアルセル高速アップリンクパケットアクセス（ＤＢ−ＤＣ−ＨＳＵＰＡ）モードで動作しており且つ第２のキャリアがアクティブである場合において、サービンググラントが予め決定される閾値を下回るときに前記第２のＵＬ電力割り当て技法が選択され、そうではないときに前記第１のＵＬ電力割り当て技法が選択される、装置。
【請求項２０】
通信ネットワーク（５１２，５１４）内で動作するユーザ機器（ＵＥ）（５０２）において、
前記ＵＥにおける使用のために、少なくとも第１のアップリンク（ＵＬ）電力割り当て技法と第２のＵＬ電力割り当て技法との間で電力割り当て技法を選択すること（４００）と、
選択される前記電力割り当て技法を前記ＵＥにおいて用いて、アップリンクデータが送信される少なくとも２つのキャリアの間で送信電力を割り当てることにより前記アップリンクデータを送信すること（４０２）と、
により、ＵＬ電力割り当てを制御する、ように適合される装置であって、
前記ＵＥがデュアルバンドデュアルセル高速アップリンクパケットアクセス（ＤＢ−ＤＣ−ＨＳＵＰＡ）モードで動作しており且つ第２のキャリアがアクティブである場合において、サービンググラントが予め決定される閾値を下回り且つ前記ＵＥが電力的に限られているときに前記第２のＵＬ電力割り当て技法が選択され、そうではないときに前記第１のＵＬ電力割り当て技法が選択される、装置。
【請求項２１】
少なくとも１つのプロセッサ上で実行された場合に、前記少なくとも１つのプロセッサに、請求項１から９のいずれか１項に記載の方法を遂行させる命令、を含むコンピュータプログラム。
【請求項２２】
請求項２１に記載のコンピュータプログラムを収容するコンピュータ読取可能な記憶媒体。
【請求項２３】
ユーザ機器（ＵＥ）における使用のために、少なくとも第１のＵＬ電力割り当て技法と第２のＵＬ電力割り当て技法との間で電力割り当て技法を選択する（４００）、ように構成される第１のモジュールと、
選択される前記電力割り当て技法を前記ＵＥにおいて用いて、アップリンクデータが送信される少なくとも２つのキャリアの間で送信電力を割り当てることにより前記アップリンクデータを送信する（４０２）、ように構成される第２のモジュールと、
を含む装置であって、
前記ＵＥがデュアルバンドデュアルセル高速アップリンクパケットアクセス（ＤＢ−ＤＣ−ＨＳＵＰＡ）モードで動作しており且つ第２のキャリアがアクティブである場合において、サービンググラントが予め決定される閾値を下回るときに前記第２のＵＬ電力割り当て技法が選択され、そうではないときに前記第１のＵＬ電力割り当て技法が選択される、装置。
【請求項２４】
ユーザ機器（ＵＥ）における使用のために、少なくとも第１のＵＬ電力割り当て技法と第２のＵＬ電力割り当て技法との間で電力割り当て技法を選択する（４００）、ように構成される第１のモジュールと、
選択される前記電力割り当て技法を前記ＵＥにおいて用いて、アップリンクデータが送信される少なくとも２つのキャリアの間で送信電力を割り当てることにより前記アップリンクデータを送信する（４０２）、ように構成される第２のモジュールと、
を含む装置であって、
前記ＵＥがデュアルバンドデュアルセル高速アップリンクパケットアクセス（ＤＢ−ＤＣ−ＨＳＵＰＡ）モードで動作しており且つ第２のキャリアがアクティブである場合において、サービンググラントが予め決定される閾値を下回り且つ前記ＵＥが電力的に限られているときに前記第２のＵＬ電力割り当て技法が選択され、そうではないときに前記第１のＵＬ電力割り当て技法が選択される、装置。
【発明の詳細な説明】
【技術分野】
【０００１】
［関連出願］
本出願は、２０１５年１０月２日に提出された“On  a  Network  Controlled  UL  Power  Allocation  Algorithm  in  Multicarrier  Scenarios”と題された米国仮特許出願第６２／２３６，２３６号に関連し及び同出願からの優先権を主張し、その開示は参照によりここに取り入れられる。
【０００２】
［技術分野］
本発明は、概して、電力割り当てに関連し、より具体的には、ユーザ機器におけるアップリンク電力割り当てに関連する。
【背景技術】
【０００３】
スペクトルは、モバイルブロードバンド（ＭＢＢ）の成功裏の使用を可能にするための、基本的かつ貴重なリソースである。特に帯域幅が限られているシナリオにおいて、ユーザにとって利用可能な帯域幅を増加させることにより、ユーザ体験を有意に改善することができる。ＷＣＤＭＡ（wide  band  code  division  multiple  access）システムについては、原理上、基礎であるＷＣＤＭＡ構造をより高いチップレート及び帯域幅で動作するように再定義することにより、ユーザ帯域幅の増加を達成できるかもしれない。そうしたアプローチは、常に利用可能ではない連続的なスペクトルを要するか、又はそのアプローチはレガシーのユーザ機器（ＵＥ）に適合しないはずである。
【０００４】
従って、代替的なアプローチは、全てのＵＥによりアクセス可能な５ＭＨｚのＷＣＤＭＡキャリアというコンセプトを保ちつつ、新たなＵＥが多重的なキャリアで同時に送受信を行うことをも可能にすることである。これが、マルチキャリア高速パケットアクセス（ＨＳＰＡ）の進化の基礎である。マルチキャリアのサポートは複数のリリースにわたってＨＳＰＡ仕様に導入済みであり、現在のところ８つまでのダウンリンクキャリア及び２つまでのアップリンクキャリアがサポートされている。ダウンリンクキャリアは不連続であること（マルチバンド動作）が許容されている一方で、アップリンクキャリアは隣り合っていることが必要とされている（シングルバンド動作）。デュアルセル（ＤＣ）ＨＳＵＰＡというＨＳＰＡのアップリンクのマルチキャリアは、３ＧＰＰ（Third  Generation  Partnership  Project）仕様のリリース９において導入された。
【０００５】
アップリンクにおけるシングルバンド動作は、典型的には、双方のキャリアのために１つの電力増幅器（ＰＡ）を使用することを可能にし、これが実装を単純化し及び安価にする。しかしながら、デュアルバンドケイパビリティは、フラグメント化したスペクトルを使用する事業者にとって魅力的である。デュアルバンドは、例えばＬＴＥ（long  term  evolution）といった他の技術へのスペクトルの転用（refarming）のために、将来より一層有益になるかもしれない。典型的な事業者は、低域（例えば、Ｕ９００）に１つのキャリアを、高域（例えば、Ｕ２１００）に１つ又は２つのキャリアを有し得る。よって、異なる複数の帯域内の２つのキャリアを効率的に運用できることは、将来のＨＳＰＡ向けの成功裏のＭＢＢ体験を提供するために有益であるものと期待される。
【０００６】
“HSPA  Dual-Band  UL  carrier  aggregation”と題された３ＧＰＰ作業項目について、３ＧＰＰリリース１３においてデュアルバンドデュアルセルＨＳＵＰＡ（ＤＢ−ＤＣ−ＨＳＵＰＡ）向けのサポートを導入するという目的と共に、２０１４年１２月に合意がなされた。マルチキャリアＨＳＰＡについてのコアな仕様のほとんどは、複数のセルが構成される対象の周波数帯域及びキャリアにとらわれない。但し、無線周波数（ＲＦ）の適合性要件（conformance  requirements）は、各組み合わせに特に関係する値で更新される必要がある。アップリンクのマルチキャリア実装については、無線リソース管理（ＲＲＭ）の影響及び変更にも対処する必要がある。例えば、アップリンク（ＵＬ）送信（Ｔｘ）電力割り当て及び拡張専用チャネルトランスポートフォーマットコンビネーション（Ｅ−ＴＦＣ）の選択は、現在のところ、デュアルバンド動作にとって最適ではない。
【０００７】
よって、マルチキャリアシナリオにおけるアップリンク電力割り当て技法に対する旧来のアプローチの上述した欠点を克服する方法及びシステムを提供するというニーズが存在する。
【発明の概要】
【発明が解決しようとする課題】
【０００８】
デュアルバンドデュアルセル高速アップリンクパケットアクセス（ＤＢ−ＤＣ−ＨＳＵＰＡ）を使用するワイヤレスデバイスのために異なる複数のアップリンク電力割り当て技法を実装して、旧来の技法と比較して電力使用を改善することを、複数の実施形態が可能にする。
【課題を解決するための手段】
【０００９】
一実施形態によれば、通信ネットワーク内で動作するユーザ機器（ＵＥ）においてアップリンク（ＵＬ）電力割り当てを制御するための方法が存在し、上記方法は、上記ＵＥにおける使用のために、少なくとも第１のＵＬ電力割り当て技法と第２の電力割り当て技法との間で選択を行うことと、選択される上記電力割り当て技法を上記ＵＥにおいて用いて、アップリンクデータが送信される少なくとも２つのキャリアの間で送信電力を割り当てることにより上記アップリンクデータを送信することと、を含む。
【００１０】
一実施形態によれば、アップリンク（ＵＬ）電力割り当てが制御される通信ネットワーク内のユーザ機器（ＵＥ）が存在し、上記ＵＥは、上記ＵＥにおける使用のために、少なくとも第１のＵＬ電力割り当て技法と第２のＵＬ電力割り当て技法との間で選択を行う、ように構成されるプロセッサ、を含み；上記プロセッサは、選択される上記ＵＬ電力割り当て技法を上記ＵＥにおいて用いて、アップリンクデータが送信される少なくとも２つのキャリアの間で送信電力を割り当てることにより上記アップリンクデータを送信する、ように構成される。
【００１１】
一実施形態によれば、通信ネットワーク内で動作するユーザ機器（ＵＥ）において、上記ＵＥにおける使用のために、少なくとも第１のアップリンク（ＵＬ）電力割り当て技法と第２の電力割り当て技法との間で選択を行うことと；選択される上記電力割り当て技法を上記ＵＥにおいて用いて、アップリンクデータが送信される少なくとも２つのキャリアの間で送信電力を割り当てることにより上記アップリンクデータを送信することと、により、ＵＬ電力割り当てを制御する、ように適合される装置が存在する。
【００１２】
一実施形態によれば、上記ＵＥにおける使用のために、少なくとも第１のＵＬ電力割り当て技法と第２の電力割り当て技法との間で選択を行う、ように構成される第１のモジュールと；選択される上記電力割り当て技法を上記ＵＥにおいて用いて、アップリンクデータが送信される少なくとも２つのキャリアの間で送信電力を割り当てることにより上記アップリンクデータを送信する、ように構成される第２のモジュールと、を含む装置が存在する。
【００１３】
一実施形態によれば、プロセッサにより実行された場合に、上記ＵＥにおける使用のために、少なくとも第１のＵＬ電力割り当て技法と第２の電力割り当て技法との間で選択を行うステップと；選択される上記電力割り当て技法を上記ＵＥにおいて用いて、アップリンクデータが送信される少なくとも２つのキャリアの間で送信電力を割り当てることにより上記アップリンクデータを送信するステップと、を実行する非一時的なコンピュータ読取可能な媒体が存在する。
【図面の簡単な説明】
【００１４】
本明細書に取り入れられ及びその一部をなす添付図面は、１つ以上の実施形態を描いており、その説明と共にそれら実施形態を説明する。図面は以下の通りである：
【００１５】
【図１】一実施形態に係るデュアルバンドデュアルセル高速アップリンクパケットアクセス（ＤＢ−ＤＣ−ＨＳＵＰＡ）を示している。
【図２】一実施形態に係る、異なる複数のキャリア及び帯域にわたる送信電力に関する、パラレルスプリット電力割り当て及び電力センシティブ電力割り当て技法を示している。
【図３】一実施形態に従って異なる複数の電力割り当て技法を実装する複数のユーザ機器（ＵＥ）を示している。
【図４】一実施形態に係るアップリンク電力割り当てのための方法のフローチャートを示している。
【図５】一実施形態に係るアップリンク電力割り当ての技法の実装に関連付けられる、ワイヤレスデバイス、ネットワークノード及びネットワークを示している。
【発明を実施するための形態】
【００１６】
以下の実施形態の説明は、添付図面を参照する。異なる図面内の同一の参照番号は、同一の又は類似の要素を識別する。以下の詳細な説明は、本発明を限定しない。代わりに、本発明のスコープは、添付の特許請求の範囲により定義される。次に議論される実施形態は、以下に説明される構成には限定されず、後に議論されるように、他の配置にも拡張され得る。
【００１７】
本明細書を通じての“１つの実施形態（one  embodiment）”又は“一実施形態（an  embodiment）”への言及は、一実施形態との関連において説明される具体的な特徴、構造又は特性が、本発明の少なくとも１つの実施形態に含まれることを意味する。よって、本明細書を通じた多様な場所での“１つの実施形態において”又は“一実施形態において”とのフレーズの出現は、必ずしもそれら全てが同じ実施形態へ言及しているわけではない。さらに、１つ以上の実施形態において、具体的な特徴、構造又は特性がいかなる適切なやり方で組み合わせられてもよい。
【００１８】
背景技術において説明したように、マルチキャリアシナリオにおいて、アップリンク電力割り当て技法の旧来のアプローチに関連付けられる問題が存在する。一実施形態によれば、それら問題は、多様な電力割り当て技法を実装することにより対処される。
【００１９】
図１は、ここで説明される電力割り当て技法を実装可能な、デュアルバンドデュアルセル高速アップリンクパケットアクセス（ＤＢ−ＤＣ−ＨＳＵＰＡ）を示している。図１において、ユーザ機器（ＵＥ）１００は、アップリンクデータをノードＢ１０２へ通信し、ノードＢ１０２は、一方でネットワーク１０４と通信関係にある。図１ではノードＢ１０２が示され及び記述されているものの、理解されるべきこととして、いくつかのネットワークでは、ここで説明される実施形態のサポートの下に、ノードＢと同様の機能を実行する、例えばｅＮＢ又は他の形式の基地局など、他のタイプのノードが使用され得るはずである。ＵＥ１００からノードＢ１０２へのアップリンク通信は、周波数帯域Ｘを用いる第１のキャリア１０８及び第２の周波数帯域Ｙを用いる第２のキャリア１１０を含む、ＨＳＵＰＡ通信１０６として示されており、それら周波数帯域Ｘ及びＹは、異なる周波数レンジにおいて運用されている。周波数帯域Ｘ及びＹは、連続的であってもよく又は不連続であってもよい。次に、電力割り当て技法について説明する。まず、多様な電力割り当て技法を使用可能なデュアルバンドについての実施形態の説明に先立って、シングルバンドでのデュアルセル高速アップリンクパケットアクセス（ＤＣ−ＨＳＵＰＡ）についての電力割り当てを説明する。
【００２０】
シングルバンドＤＣ−ＨＳＵＰＡについての電力割り当ては、専用物理制御チャネル（ＤＰＣＣＨ）の品質及び各キャリアについてのサービンググラントに基づいて計算される。より具体的には、周波数ｉへの電力割り当てＰｉは、式（１）に示したように計算される：
【００２１】
【数１】
0006573718.tif 000002
【００２２】
ここで、Ｐremaining,sは、スケジューリングされない送信についての電力が一旦考慮に入れられた後のスケジューリングされる送信のための残余の電力であり、ＰDPCCH,target,iは、３ＧＰＰ（3rd  Generation  Partnership  Project）ＴＳ（technical  specification）２５．１３３：“Requirements  for  support  of  radio  resource  management  (FDD)”において定義されている通りのフィルタリング後のＤＰＣＣＨ電力であり、ＳＧｉは、周波数ｉ上のサービンググラント（ＳＧ）である。この電力割り当て技法を、ここでは“パラレルスプリット”電力割り当て技法という。
【００２３】
よって、シングルバンドＤＣ−ＨＳＵＰＡについて２つのキャリア間の電力割り当てを左右することになるのは、それら２つのキャリアについてのＤＰＣＣＨ品質及びサービンググラントの積の間の割合である。この電力割り当て方式の１つの示唆は、双方のキャリアが有するＳＧが等しい場合にキャリアの品質に反比例する形で電力が割り当てられることであり、これは、より劣悪な品質（即ち、最高のＤＰＣＣＨ電力）を有するキャリアが優先され最大の電力を与えられることを意味する。これは、例えば２つのＤＰＣＣＨ間で電力に格段の差異のある電力の限られたシナリオにおいては望ましくないかもしれず、それらシナリオでは、より良好な品質を有するキャリアを優先する方が明らかによいはずである。
【００２４】
具体的には、式（１）に関して上で説明したパラレルスプリット電力割り当て技法は、あるデュアルバンドシナリオにとって準最適となることがあるであろう。例えばＵ９００上の低域及び例えばＵ２１００上の高域でのデュアルバンド動作について、異なる帯域間のパスロスの差異が、例えば１０ｄＢのオーダで顕著となり得る。実践において、これが意味するのは、ほとんどのケースで、ノードＢからの所与のＵＥの距離について、高周波数（例えば、Ｕ２１００）キャリア上よりも低周波数（例えば、Ｕ９００）キャリア上での送信の方が、同一のビット数につきより少ない電力しかかからない。高周波数キャリアへより多くの電力を割り当て得る式（１）のパラレルスプリット電力割り当て方式は、よって、ＵＥ送信電力の観点で不必要かつ高価なビットをもたらしかねない。
【００２５】
既存のパラレルスプリット電力割り当て方式に伴う、デュアルバンド動作へ適用される際の上述した問題に対処するために、いわゆる電力センシティブ（即ち、貪欲フィリング）電力割り当て法を代替策として使用することができる。この電力センシティブ電力割り当て法が、式（２）を基準として以下で説明される。
if（ＰDPCCH,target,1＜ＰDPCCH,target,2）
｛Ｐ1＝min（ＰDPCCH,target,1ＳＧ1，Ｐremaining,s），Ｐ2＝Ｐremaining,s−Ｐ1｝
else
｛Ｐ２＝min（ＰDPCCH,target,2ＳＧ2，Ｐremaining,s），Ｐ1＝Ｐremaining,s−Ｐ2｝     （２）
【００２６】
この電力割り当て方式の狙いは、最良のキャリア（即ち、最も低いＤＰＣＣＨ電力を伴うキャリア）を優先することである。まず最良のキャリアにサービンググラントが許容するまで電力が割り当てられ、次いで残余の電力があればそれが二次的なキャリアへサービンググラントを考慮に入れて与えられるという形で、順次的なやり方で電力が割り当てられる。
【００２７】
一実施形態に従って、図２は、ＵＥ１００上でデュアルバンドデュアルセルモードで動作する場合の、送信電力に関するパラレルスプリット電力割り当て及び電力センシティブ（又は貪欲フィリング）電力割り当て方式の作用のいくつかを示している。図２において、パラレルスプリット電力割り当て方式２００を用いるＵＥは、アップリンクＴｘＰＡ２０４により表される電力量を用いて低周波数キャリア２０２上で送信を行うことができ、及びアップリンクＴｘＰＢ２０８により表される電力量を用いて高周波数キャリア２０６上で送信を行うことができる。パラレルスプリット電力割り当て技法２００については、アップリンクＴｘＰＢは、前に言及した理由のために、ブロック２１０に示したように、アップリンクＴｘＰＡよりも大きくなり得る。電力センシティブ電力割り当て技法２１２を用いるＵＥは、アップリンクＴｘＰＣ２１４により表される電力量を用いて低周波数キャリア２０２上で送信を行うことができ、及びアップリンクＴｘＰＤ２１６により表される電力を用いて高周波数キャリア２０６上で送信を行うことができる。電力センシティブ電力割り当て技法２１２については、ブロック２１８に示したように、アップリンクＴｘＰＣがアップリンクＴｘＰＤよりも大きくなり得る。このように、高周波数キャリア２０６と低周波数キャリア２０２との間の周波数ギャップのサイズに依存して、電力センシティブ技法が、送信されるビットに対して潜在的により効率的に電力を割り当てるであろう。
【００２８】
電力効率が重要である一方で、効率的なシステム運用のための他の観点は、適切な負荷分散である。即ち、ネットワークは、（マルチキャリア対応型のＵＥ及びマルチキャリア非対応型のＵＥの双方について）全ての利用可能なキャリアにわたってトラフィックが適切な形で分散することを確実にする必要がある。しかしながら、電力センシティブ電力割り当て方式は、最良のキャリアを優先し、従って最良のキャリアへトラフィックの大部分を移すことを強いることで、望ましくない負荷分散をもたらしかねない。パラレルスプリット電力技法では、ネットワークは、異なるＵＥのグループに異なるキャリアをプライマリキャリアとして持たせること、及び適切なグラントスケジューリングにより、効率的な負荷分散を達成することができる。
【００２９】
このように、パラレルスプリット電力割り当て技法２００及び電力センシティブ電力割り当て技法２１２の双方が、強みと弱みとを有している。従って、ここで説明される実施形態のいくつかによれば、ＵＥは、当該２つ（又はそれ以上）の異なる電力割り当て技法のいずれかを用いるように構成され得る。これは、例えばＵＥか又はネットワークかのいずれかにより、任意の所与の送信について、どちらの電力割り当てを使用すべきかに関する決定を下さなければならないことを意味する。一方では、ＵＥは、ＵＥ側の電力状況（即ち、利用可能な残余の電力）についてネットワークよりも良好な知識を有するため、概して、より素早く且つより良好な決定を行うことができる。他方では、ネットワークは、ネットワーク全体の負荷状況を認識しているノードであり、従って負荷分散をハンドリングするために最もよく適している。よって、多様な実施形態によれば、負荷分散及び電力割り当て技法の選択のために、ノードの多様な組み合わせ（例えば、ネットワーク、ノードＢ及びＵＥ）が、電力割り当て技法の選択の仕組みに対し多様な貢献をなし得る。
【００３０】
一実施形態によれば、ネットワーク制御型の動作と共に、レガシーのパラレルスプリット電力技法及び電力センシティブ（貪欲フィリング）電力割り当て技法の双方を包含するフレームワークがここで開示される。これが、次のことを可能にする：（１）パラレル技法と貪欲フィリング（ＧＦ）技法との間で選択を行う能力を有すること；及び、（２）ネットワークがＧＦを用いる場合、ＧＦの適用を−ＧＦから最も恩恵を受けるはずの電力の限られたＵＥなど−ＵＥのサブセットへ制限する能力を有すること。図３においてこの一例を見ることができ、図３では、ノードＢ３０６と通信関係にある複数のＵＥ（ＵＥ１  ３００、ＵＥ２  ３０２…ＵＥｎ  ３０４）が存在し、ノードＢ３０６は、一方ではネットワーク３０８と通信関係にある。この例では、ＵＥのサブセット、例えばＵＥ１  ３００及びＵＥ２  ３０２が、ＧＦ電力割り当て技法の使用から恩恵を受けるＵＥのサブセットとなることができ、それに対して、他のＵＥ、例えばＵＥｎ  ３０４は、パラレルスプリット電力割り当て技法の使用から恩恵を受け得る。
【００３１】
一実施形態によれば、ＵＥは、自身の保留中の送信に適用すべき電力割り当て技法を選択するための仕組みとして、ある基準（例えば、合計スループット）を最大化するための仮説検証を行う。この仮説検証手続において、ＵＥは、電力割り当て技法ごとに１回として２回の異なる電力割り当て及びＥ−ＴＦＣ選択の計算を行い、そして、基準関数を最大化する選択肢を選択する。Ｅ−ＴＦＣの選択は後により詳細に説明される。追加的なネットワーク制御が望ましい場合、どの仮説が許容されるかを制限する追加的な制約が追加され得る。例えば、ＵＥに２つの電力割り当て技法のうちの一方又は他方を使用することを強制することになる追加的な制約を構成することができる。限定ではないものの、例は次を含む：（１）パラレル電力割り当て技法、ＧＦ電力割り当て技法又は双方の技法をＥ−ＴＦＣ選択手続において使用すべきかを指し示すネットワーク構成パラメータ；及び、（２）どの技法を仮説検証にふくめるべきかの選択肢は、より広く１つ又は複数の入力パラメータの関数であり得る。そうしたパラメータの使用を説明する具体的な実施形態が以下に説明される。
【００３２】
それら入力パラメータのいくつかの例は、限定ではないものの、次を含む：（１）２つのキャリアについてのＤＰＣＣＨ電力レベルにおける差異の関数；（２）その差異が十分に大きい（閾値を上回る）場合にはＧＦを使用し、そうでなければパラレルスプリット電力技法を使用する；（３）及び／又は、一方若しくは双方のキャリアについての絶対ＤＰＣＣＨ電力レベルの関数、及び／又は、キャリア間のＳＧにおける差異の関数；（４）及び／又は、２つのキャリアについての絶対ＳＧの関数；（５）及び／又は、ＵＥ側での電力ステータスの関数（例えば、電力が限られていればＧＦ）；（６）及び／又は、アップリンク（ＵＬ）キャリアに対応するダウンリンク（ＤＬ）キャリアについての測定されるダウンリンク品質の関数。例えば、長期的な共通パイロットチャネル（ＣＰＩＣＨ）品質（信号対雑音比（ＳＩＮＲ）又は信号対干渉及び雑音比（ＳＩＮＲ））がキャリアの一方について有意に良好である場合にはＵＥはＧＦ技法を適用し、そうでない場合にはＵＥはパラレルスプリット電力技法を適用することができる。
【００３３】
一実施形態によれば、ＳＧが、どの電力割り当て技法を使用すべきかを判定するための要因であってもよい。例えば、ＵＥがＤＢ−ＤＣ−ＨＳＵＰＡモードで動作しており且つセカンダリキャリアがアクティブ化される場合において、低域キャリア（例えば、Ｕ９００）上のサービンググラントＳＧｉが閾値αを下回るときは、ＵＥは貪欲フィリング技法を使用するものとし、そうでないときは、ＵＥはパラレルスプリット電力技法を使用する。ＵＥにおいてこの方式を実装するための様々な手段を想起することができる。例えば、ＵＥがＤＢ−ＤＣ−ＨＳＵＰＡを用いており且つセカンダリキャリアがアクティブ化される場合に、電力割り当て方式を選択するために、次のロジックがＵＥにおいて実装可能である。
【００３４】
【表１】
0006573718.tif 000003
【００３５】
一実施形態によれば、閾値αは、仕様内でハードコーディングされ、動的なＬ１パラメータであり、準静的な無線リソース制御（ＲＲＣ）パラメータであり、又は、ＮＢＡＰ（Node  B  application  part）／ＲＮＳＡＰ（radio  network  subsystem  application  part）パラメータであり得る。ネットワークによりＵＥへシグナリングされる場合、αは、ＵＥによる電力割り当て技法の選択にネットワークが影響を与えることのできる手段として上で言及した制約又はパラメータの一例を表す。追加的に、このアプローチは、例えばＳＧ値に基づいて、αを非常に大きい値に設定することによりＵＥにＧＦ技法を常に使用することを強制し、及びα＝０に設定することによりパラレルスプリット電力技法を常に使用することを強制する選択肢を、ネットワークに提供する。
【００３６】
一実施形態によれば、利用可能な電力量もまた、ＵＥについて使用すべき電力割り当て技法の選択肢を判定するための要因であり得る。例えば、ＵＥがＤＢ−ＤＣ−ＨＳＵＰＡモードで動作しており且つセカンダリキャリアがアクティブ化される場合において、低域キャリア（例えば、Ｕ９００）上のサービンググラントＳＧｉが閾値αを下回り且つＵＥの電力が限られているときは、ＵＥは貪欲フィリングアルゴリズムを使用し、そうでないときは、パラレルスプリット電力技法を使用するものとする。
【００３７】
アップリンク電力の限界を、様々な手法で定義することができる。１つの例は、ＵＥがパラレル電力スプリット技法を用いて自身の最大許容電力で送信を行っている場合でさえも、各キャリア上のサービンググラントの一方又は双方に従って全てのＥ−ＴＦＣを送信できるほど十分な残余の電力を有しない、ということであり得る。言い換えると、一方又は双方のキャリア上で何らかのＥ−ＴＦＣが制限されている（３ＧＰＰ  ２５．１３３により定義されている通り）。そうした電力の限界は、ＵＥがシングルＰＡアーキテクチャを使用しているか又はデュアルＰＡアーキテクチャを使用しているかに関わらず生じ得る。現行の仕様２５．１３３では、最大ＵＥ送信機電力は、式（３）に示した通り、次のように定義されている：
最大ＵＥ送信機電力＝MIN｛最大許容ＵＬ送信電力，ＰＭＡＸ｝    （３）
ここで、最大許容ＵＬ送信電力は、ＵＴＲＡＮ（Universal  Terrestrial  Radio  Access  Network）により設定され、３ＧＰＰ  ＴＳ２５．３３１：“RRC  Protocol  Specification”において定義されており、ＰＭＡＸは、ＵＥ電力クラスにより定義される通りのＵＥの名目最大送信電力であって、３ＧＰＰ  ＴＳ２５．１０１：“UE  Radio  transmission  and  reception  (FDD)”のテーブル６．１において仕様化されている。
【００３８】
ＵＥにおいてこの技法を実装するための様々な手段を実装することができる。例えば、ＵＥがＤＢ−ＤＣ−ＨＳＵＰＡを用いており且つセカンダリキャリアがアクティブ化される場合に、次を実装可能である。
【００３９】
【表２】
0006573718.tif 000004
【００４０】
一実施形態によれば、閾値αは、仕様内でハードコーディングされ、動的なＬ１パラメータであり、又は、準静的なＲＲＣ、ＮＢＡＰ／ＲＮＳＡＰパラメータであり得る。このアプローチは、アップリンク電力が限られているときにαを非常に大きい値に設定することによりＵＥにＧＦを常に使用することを強制し、及びα＝０に設定することによりパラレルスプリット電力技法を常に使用することを強制する選択肢を、ネットワークに提供する。
【００４１】
なお、パラレルスプリット電力技法の適用を試行する際に電力が限られているＵＥは、ＧＦ電力技法を適用する際に依然として電力が限られているかもしれない。しかしながら、一実施形態によれば、一方のキャリアが電力の観点で他方よりも格段に安価である（即ち、キャリアのうちの一方のためにより少ないＤＰＣＣＨ電力しか要しない）、電力の限られているシナリオにおいて、ＧＦ方式は、送信されるビット量の観点でより効率的であろう。
【００４２】
一実施形態によれば、電力割り当て技法を選択するための上述した方法を、様々な手法で制御することができる。より具体的には、上記技法の選択を制御するためのパラメータをいかに設定すべきか、及びＵＥとネットワークとの間の通信をいかにハンドリングすべきかを、様々な形で行うことができる。いくつかの例が次に説明される。
【００４３】
上述したように、このアプローチの動作を制御するためのパラメータは、仕様内へハードコーディングされ、動的なＬ１パラメータであり、準静的なＲＲＣ、ＮＢＡＰ／ＲＮＳＡＰパラメータであり、又は、それらの組み合わせであり得る。例えば、ネットワークは、セットアップ又は再構成の期間中に、パラレルスプリット電力割り当て技法又は貪欲フィリング電力割り当て技法のいずれかを適用するように、ＲＲＣシグナリングを介してＵＥへ、及びＮＢＡＰシグナリングを介してノードＢへ指し示してもよい。また、ネットワークは、Ｌ１指令（L1  orders）（例えば、ＨＳ−ＳＣＣＨ（shared  control  channel  for  HS-DSCH）指令）の手段により、何らかのパラメータの値を動的に変更することができる。他の実施形態によれば、ＵＥは、例えばＧＦ技法を使用すべきか又はパラレルスプリット電力技法を使用すべきかなど、何らかのパラメータをどのように設定すべきかを自律的に決定する。
【００４４】
他の実施形態によれば、ＵＥは、異なる電力割り当て方式を選択するために使用されるある基準が達せられ、よってパラメータのいくつかを変更するようにネットワークへ要求すること、例えば電力割り当て技法を変更することを要求することを、例えばＲＲＣ又はモビリティ制御情報（ＭＣＩ）を介して、ネットワークへ指し示してもよい。ＵＥによる自律的な決定が許容される場合、ＵＥがネットワークへ自身のアクションについて動的に通知することが有益であり得る。例えば、ＵＥからネットワークへ送信される、ＧＦアルゴリズムが採用されるか又はパラレルスプリットアルゴリズムが採用されるかに関するＬ１標識が存在してもよい。Ｌ１シグナリングが高コスト過ぎるか又は複雑過ぎると見なされる場合でさえ、ＵＥは、ネットワークへ技法の認識を提供するために、現時点で使用中の電力方式を、例えばＲＲＣ又はＭＣＩを介してやはりネットワークへ指し示すことができる。この種類の半動的なシグナリングが使用される場合、ピンポン効果を回避するために、どの程度の頻度で電力選択技法を変更することをＵＥが許容されるかに関して何らかの制限を課すことが有益であり得る。よって、いくつかのシナリオでは、高過ぎる頻度で電力技法を変更することは望ましくない可能性がある。
【００４５】
電力割り当て技法の選択と共に、複数の実施形態は、データ割り当てをも考慮する。拡張専用チャネルトランスポートフォーマットコンビネーション（Ｅ−ＴＦＣ）選択手続は、電力割り当て（上述）及びデータ割り当てからなる。現行のＤＣ−ＨＳＵＰＡデータ割り当て方式は、セカンダリキャリアから開始する順次型である。即ち、電力割り当て方式の結果を所与として、データがまずセカンダリキャリアへ割り当てられ、その後プライマリキャリアへ割り当てられる。一実施形態によれば、電力センシティブ方式あるいは貪欲フィリング技法が最良のキャリアを優先することから、その電力割り当て技法を使用する際には、データ割り当て方式を変更して、まず最良のキャリアにデータを割り当て、その後に残りのキャリアへ割り当てることが有益であり得る。そのうえ、現行のＤＣ−ＨＳＵＰＡ方式では、スケジューリングされないデータは常にプライマリキャリア上で送信される。一実施形態によれば、ＵＥ送信のために電力センシティブ方式が選択される場合、データ割り当て方式を、スケジューリングされないデータを最良のキャリアへ常にマッピングするように変更することができる。代替的に、再送が行われるべきか、又はデータのために新たな送信ウィンドウが使用されるべきかを、ＵＥが決定することができる。
【００４６】
Ｅ−ＴＦＣ選択オプションの変更は、“安定した”動作モードに到達する前にシステム内に（望ましくない）過渡的な振る舞いを生じさせるかもしれない。ネットワークが動作を制御中であるならば、ネットワークは、ロバスト且つ良好に振る舞うネットワークが維持されるように変更が行われることを保証することもできる。選択肢のいくつかがＵＥにより採られるために残される場合、ＵＥに制限を課すことが有益であるかもしれない：例えば、一実施形態によれば、ＵＥは、ｘ個（ｘは整数）の送信時間インターバル（ＴＴＩ）ごとに又は制限される周期的な時間ピリオド内に一度だけ、電力選択技法の振る舞いを変更することを許容される。望まれる通りに、他の選択の振る舞いを使用することもできる。
【００４７】
Ｅ−ＴＦＣ選択技法の変更は、Ｅ−ＴＦＣ選択手続における他のコンポーネント（例えば、再送）にも影響し得る。一実施形態によれば、再送は、今日の現行の仕様（３ＧＰＰ  ＴＳ２５．１３３，２５．３２１）の通りにハンドリングされることができ、即ち、再送は、常に電力の割り当てにおいて優先され、ＧＦ技法が使用されるか又はパラレルスプリット電力技法が使用されるかに関わらず、同じ手法で電力分割が行われる（例えば、次の段落において以下に抜粋される３ＧＰＰ  ＴＳ２５．１３３からのリファレンステキスト参照）。
【００４８】
具体的には、ＵＥが１つよりも多くのアクティブ化されたアップリンク周波数を有し、１つのアクティブ化アップリンク周波数において１回の再送を要する場合、ＵＥは、再送を要する対象のアクティブ化アップリンク周波数へ割り当てられた電力Ｐallocated,xを用いて、及び、再送を要する対象ではないアクティブ化アップリンク周波数へ割り当てられた電力Ｐallocated,y上で、Ｅ−ＴＦＣ選択のために利用可能な正規化残余電力マージンを推定するものとされ、これらが式（４）及び式（５）により定義されている。
Ｐallocated,y
＝ＰMax−ＰHS-DPCCH−ΣiＰDPCCH,target,i−ＰE-DPCCH,x−ＰE-DPDCH,x       （４）
Ｐallocated,x＝ＰE-DPCCH,x＋ＰE-DPDCH,x                            （５）
【００４９】
一実施形態によれば、ＵＥが再送を“無視”し及びその時点で採用されている電力割り当て方式に従って優先制御を行えばネットワーク性能を改善できるような状況が存在し得ることから、多様な最適化を想起することができる。例えば、より低品質なキャリア上で再送信号を送信することが最良のキャリア上で新たなデータを送信するよりも（電力の観点で）顕著に高価となる場合、又は、ＵＥが電力に限界があるようになりより劣悪なキャリア上での再送を受容するには電力が顕著に不足している場合（このケースでは再送はまた別の再送を引き起こすことになると予期される）には、再送を無視することが望ましいかもしれない。
【００５０】
ここで開示される実施形態のほとんどは、２つよりも多くの電力割り当て技法へ適用されるように一般化されることができる。上述した実施形態を様々な手法で組み合わせることもできる。
【００５１】
ここで対処される実施形態は、２つのキャリア（例えば、Ｕ９００帯域及びＵ２１００帯域）間で有意に異なるパスロス特性が生じ得る、ＤＢ−ＤＣ−ＨＳＵＰＡの文脈において説明されている。しかしながら、一実施形態によれば、その解決策は、ＤＣ−ＨＳＵＰＡのケース（即ち、双方のキャリアが同一の周波数帯域内にある）に等しく良好に適用されることができる。２つのキャリアが同一の周波数帯域内にあるとしても、それらの間に品質における有意な差異が存在するかもしれない。例えば、アンテナ又は（異なるキャリアに異なるＰＡが使用されている場合）ＰＡのうちの一方が、（構造により又は障害物により）他方よりも非常に劣悪であるかもしれず、またシャドウイング又は小規模フェージングがそれら２つのキャリアについて相違し得る。これら作用は、むしろ静的であり又はより動的であり得る。
【００５２】
上記実施形態を、例えば図４の実施形態に示したように一般化することもできる。一実施形態によれば、通信ネットワークにおいて動作するユーザ機器（ＵＥ）においてアップリンク（ＵＬ）電力割り当てを制御するための方法が存在する。その方法は、ステップ４００において、ＵＥにおける使用のために、少なくとも第１のＵＬ電力割り当て技法と第２の電力割り当て技法との間で選択を行うことと、ステップ４０２において、選択された電力割り当て技法をＵＥにおいて用いて、アップリンクデータが送信される少なくとも２つのキャリアの間で送信電力を割り当てることにより上記アップリンクデータを送信することと、を含む。
【００５３】
図５は、上述した多様な実施形態を実装可能な、ネットワーク５１２、ネットワークノード５１４（例えば、ノードＢ又は基地局）、及びワイヤレスデバイス５０２（例えば、ＵＥ）のより詳細な様子を含むワイヤレスネットワークを示している。簡明さのために、図５は、ネットワーク５１２、ネットワークノード５１４及び５２２、並びにワイヤレスデバイス５０２のみを描いている。ネットワークノード５１４は、プロセッサ５１６、ストレージ５１８（例えば、メモリ）、通信インタフェース５２０及びアンテナ５２４を含む。同様に、ワイヤレスデバイス５０２は、プロセッサ５０６、ストレージ５０４（例えば、メモリ）、通信インタフェース５０８及びアンテナ５１０を含む。これらコンポーネントは、ワイヤレスネットワーク内のワイヤレス接続を提供するといった、ネットワークノード及び／又はワイヤレスデバイスの機能性を提供する目的で、互いに協働し得る。様々な実施形態において、ワイヤレスネットワークは、アップリンク電力割り当て技法に関連付けられる、ここで説明した実施形態のサポートにおいて、有線か無線かを問わない接続を介して、データ及び／又は信号の通信を促進し若しくは当該通信に参加し得る、いかなる数の有線若しくは無線ネットワーク、ネットワークノード、基地局、コントローラ、ワイヤレスデバイス、中継局、及び／又は任意の他のコンポーネントを含んでもよい。
【００５４】
ネットワーク５１２は、１つ以上のＩＰネットワーク、ＰＳＴＮ（public  switched  telephone  networks）、パケットデータネットワーク、光ネットワーク、ＷＡＮ（wide  area  networks）、ＬＡＮ（local  area  networks）、ＷＬＡＮ（wireless  local  area  networks）、有線ネットワーク、ワイヤレスネットワーク、メトロポリタンエリアネットワーク、及びデバイス間の通信を可能にする他のネットワーク、を含んでもよい。
【００５５】
上述したように、ネットワークノード５１４は、プロセッサ５１６、ストレージ５１８、通信インタフェース５２０及びアンテナ５２４を含む。これらコンポーネントは、より大きな単一のボックスの中に配置された単一のボックスとして描かれている。しかしながら、実際には、ネットワークノードは、１つに描かれたコンポーネントを形成する複数の別個の物理的なコンポーネントを含んでもよい（例えば、通信インタフェース５２０は、有線接続用の回線を連結するための端子と、無線接続用の無線送受信機とを含んでもよい）。他の例として、ネットワークノード５１４は、複数の異なる物理的に別個のコンポーネントがネットワークノード５１５の機能性を提供するようにインタラクションする、仮想的なネットワークノードであってもよい（例えば、プロセッサ５０２は、ネットワークノード５１４の個別のインスタンスについての異なる機能を各プロセッサが担当する形で、３つの別個の筐体内に配置される３つの別個のプロセッサを含んでもよい）。
【００５６】
一実施形態によれば、ネットワークノード５１４は、複数の物理的に別個のコンポーネントからなってもよく（例えば、ノードＢコンポーネント及び無線ネットワークコントローラ（ＲＮＣ）コンポーネント、基地送受信局（ＢＴＳ）コンポーネント及び基地局コントローラ（ＢＳＣ）コンポーネント、など）、その各々が自身のそれぞれのプロセッサ、ストレージ及びインタフェースコンポーネントを有し得る。ネットワークノード５１４が複数の別個のコンポーネント（例えば、ＢＴＳ及びＢＳＣコンポーネント）を含むあるシナリオにおいて、それら別個のコンポーネントのうちの１つ以上が、複数のネットワークノードの間で共有されてもよい。例えば、単一のＲＮＣが複数のノードＢを制御してもよい。そうしたシナリオにおいて、一意なノードＢ及びＢＳＣの各ペアが、別個のネットワークノードであってもよい。いくつかの実施形態において、ネットワークノード５１４は、複数の無線アクセス技術（ＲＡＴ）をサポートするように構成されてもよい。そうした実施形態において、いくつかのコンポーネントが冗長化されてもよく（例えば、異なる複数のＲＡＴ向けの別個のストレージ５１６）、いくつかのコンポーネントが再利用されてもよい（例えば、同一のアンテナ５２４がそれらＲＡＴにより共有されてもよい）。
【００５７】
プロセッサ５１８は、単独か若しくはストレージ５１６といった他のネットワークノード５１４のコンポーネントと連携するかのいずれかで、ネットワークノード５１４の機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、又は、任意の他の適したコンピューティングデバイス、リソース、若しくは、ハードウェア、ソフトウェア及び／若しくはエンコードされたロジックの組み合わせ、のうちの１つ以上の組み合わせであってよい。例えば、プロセッサ５１８は、ストレージ５１６内に記憶される命令を実行してもよい。そうした機能性は、ワイヤレスデバイス５０２などのワイヤレスデバイスへ、ここで開示した特徴又は恩恵のいずれかを含む、ここで議論した多様なワイヤレス機能を提供することを含む。
【００５８】
ストレージ５１６は、限定ではないが、永続的ストレージ、ソリッドステートメモリ。遠隔マウント型のメモリ、磁気メディア、光学メディア、ＲＡＭ（random  access  memory）、ＲＯＭ（read-only  memory）、リムーバブルメディア、又は任意の他の適切なローカル若しくはリモートのメモリコンポーネントを含む、任意の形式の揮発性又は不揮発性のコンピュータ読取可能なメモリを含んでよい。ストレージ５１６は、ネットワークノード５１４により利用される、ソフトウェア若しくはエンコードされたロジックを含む、任意の適した命令、データ又は情報をも記憶してよい。ストレージ５１６は、プロセッサ５１８により行われる任意の計算の結果及び／又はインタフェース５２０を介して受信される任意のデータを記憶するために使用されてもよい。
【００５９】
ネットワークノード５１４は、ネットワークノード５１４、ネットワーク５１２及び／又はワイヤレスデバイス５０２の間でのシグナリング及び／又はデータの有線通信又は無線通信において使用され得るインタフェース５２０をも含む。例えば、インタフェース５２０は、ネットワークノード５１４が有線接続上でネットワーク５１２との間でデータを送受信することを可能にするために必要とされ得るいかなるフォーマット化、符号化又は変換をも実行してよい。インタフェース５２０は、アンテナ５２４へ連結され又はアンテナ５２４の一部であり得る、無線送信機及び／又は受信機をも含んでもよい。無線機は、無線接続を介して他のネットワークノードへ又はワイヤレスデバイスへ送出されるべきデジタルデータを受け付け得る。無線機は、そのデジタルデータを適切なチャネル及び帯域幅パラメータを有する無線信号へ変換し得る。そして、無線信号は、アンテナ５２４を介して適切な受信者（例えば、ワイヤレスデバイス５０２）へ送信され得る。
【００６０】
アンテナ５２４は、データ及び／又は信号をワイヤレスに送受信可能ないかなるタイプのアンテナであってもよい。いくつかの実施形態において、アンテナ５２４は、例えば２ＧＨｚ及び６６ＧＨｚの間の無線信号を送信／受信するように動作可能な、１つ以上の全方向型アンテナ、セクタアンテナ又はパネルアンテナを含んでもよい。全方向型アンテナは、任意の方向の無線信号を送信／受信するために使用されてよく、セクタアンテナは、特定のエリア内のデバイスから無線信号を送信／受信するために使用されてよく、パネルアンテナは、相対的に直線的に無線信号を送信／受信するために使用される見通し線アンテナであってもよい。
【００６１】
ワイヤレスデバイス５０２は、ネットワークノード５１４及び５２２並びに／又は他のワイヤレスデバイス５０２といったネットワークノードとの間でワイヤレスにデータ及び／又は信号を送受信することのできる、いかなるタイプのワイヤレスエンドポイント、移動局、モバイルフォン、ワイヤレスローカルループフォン、スマートフォン、ユーザ機器、デスクトップコンピュータ、ＰＤＡ、セルフォン、タブレット、ラップトップ、ＶｏＩＰフォン又はハンドセットであってもよい。ワイヤレスデバイス５０２は、プロセッサ５０６、ストレージ５０４（例えば、メモリ）、通信インタフェース５０８及びアンテナ５１０を含む。ネットワークノード５１４と同様、ワイヤレスデバイス５０２のコンポーネントは、より大きな単一のボックスの中に配置された単一のボックスとして描かれているが、しかしながら、実際には、ワイヤレスデバイスは、１つに描かれたコンポーネントを形成する複数の別個の物理的なコンポーネントを含んでもよい（例えば、ストレージ５０４は、各々が総合的なストレージ容量の一部を表す、複数の離散マイクロチップを含んでもよい）。
【００６２】
プロセッサ５０６は、単独か若しくはストレージ５０４といった他のワイヤレスデバイス５０２のコンポーネントと連携するかのいずれかで、ワイヤレスデバイス５０２の機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、又は、任意の他の適したコンピューティングデバイス、リソース、若しくは、ハードウェア、ソフトウェア及び／若しくはエンコードされたロジックの組み合わせ、のうちの１つ以上の組み合わせであってよい。そうした機能性は、ここで開示した特徴又は恩恵のいずれかを含む、ここで議論した多様なワイヤレス機能を提供することを含み得る。
【００６３】
ストレージ５０４は、限定ではないが、永続的ストレージ、ソリッドステートメモリ。遠隔マウント型のメモリ、磁気メディア、光学メディア、ＲＡＭ（random  access  memory）、ＲＯＭ（read-only  memory）、リムーバブルメディア、又は任意の他の適切なローカル若しくはリモートのメモリコンポーネントを含む、任意の形式の揮発性又は不揮発性のメモリを含んでよい。ストレージ５０４は、ワイヤレスデバイス５０２により利用される、ソフトウェア若しくはエンコードされたロジックを含む、任意の適したデータ、命令又は情報をも記憶してよい。ストレージ５０４は、プロセッサ５０６により行われる任意の計算の結果及び／又はインタフェース５０８を介して受信される任意のデータを記憶するために使用されてもよい。
【００６４】
インタフェース５０８は、ワイヤレスデバイス５０２とネットワークノード５１４及び５２２との間でのシグナリング及び／又はデータの無線通信において使用され得る。例えば、インタフェース５０８は、ワイヤレスデバイス５０２が無線接続上でネットワークノード５１４との間でデータを送受信することを可能にするために必要とされ得るいかなるフォーマット化、符号化又は変換をも実行してよい。インタフェース５０８は、アンテナ５１０へ連結され又はアンテナ５１０の一部であり得る、無線送信機及び／又は受信機をも含んでもよい。無線機は、無線接続を介してネットワークノード５１４へ送出されるべきデジタルデータを受け付け得る。無線機は、そのデジタルデータを適切なチャネル及び帯域幅パラメータを有する無線信号へ変換し得る。そして、無線信号は、アンテナ５１０を介してネットワークノード５１４へ送信され得る。
【００６５】
アンテナ５１０は、データ及び／又は信号をワイヤレスに送受信可能ないかなるタイプのアンテナであってもよい。いくつかの実施形態において、アンテナ５１０は、２ＧＨｚ及び６６ＧＨｚの間の無線信号を送信／受信するように動作可能な、１つ以上の全方向型アンテナ、セクタアンテナ又はパネルアンテナを含んでもよい。簡明さのために、アンテナ５１０は、ワイヤレス信号が使用される範囲でインタフェース５０８の一部であると見なされてもよい。
【００６６】
実施形態は、ＤＢ−ＤＣ−ＨＳＵＰＡ動作について、パラレルスプリット電力割り当て技法、Ｅ−ＴＦＣ選択方式及び電力センシティブ電力割り当て技法の組み合わせを可能にする。これが、いつ一方の又は他方の方式を動作させるべきかのネットワーク制御を提供し、ＤＢ−ＤＣ−ＨＳＵＰＡを実装するための柔軟な移行パスを促進する。追加的に、実施形態は、ネットワークが負荷分散を達成するための制御を提供することを可能にしながら、異なる複数の電力割り当て技法の、ＵＥ電力に最も良く適した使用を可能にする。
【００６７】
ここで説明したいかなるステップも、何らかの実施形態の例示に過ぎない。全ての実施形態が開示した全てのステップを包含することも、ここで描き又は説明した正確な順序でそれらステップを実行することも要件ではない。さらに、いくつかの実施形態がここで例示しておらず又は説明していないステップを含んでもよく、それらはここで開示したステップの１つ以上に本来備わるステップを含む。開示した実施形態は、所望のアップリンク電力割り当て技法を選択し及び使用する、方法及びデバイスを提供する。理解されるべきこととして、上記説明は本発明を限定することを意図されていない。逆に、上記実施形態は、本発明の思想及びスコープに含まれる変形例、修正例及び均等物をカバーするものと意図される。さらに、実施形態の詳細な説明において、特許請求される発明の包括的な理解を提供する目的で、多数の特定の詳細が説示されている。しかしながら、当業者は、そうした具体的な詳細が無くとも多様な実施形態を実践し得ることを理解するはずである。
【００６８】
また、当業者により認識されるように、上記実施形態は、全体としてハードウェアの実施形態の形式をとってもよく、又はハードウェア及びソフトウェアの側面を組み合わせた実施形態の形式をとってもよい。さらに、例えば所望のアップリンク電力割り当て技法を実装する上記実施形態は、コンピュータ読取可能な記憶媒体に記憶される、当該媒体内で具現化されるコンピュータ読取可能な命令を有する、コンピュータプログラムプロダクトを用いて実装されることができる。ＲＡＭ、ハードディスク、ＣＤ−ＲＯＭ、ＤＶＤ（digital  versatile  disc）、光学記憶デバイス、又はフロッピーディスク若しくは磁気テープといった磁気記憶デバイスを含む、いかなる適したコンピュータ読取可能な媒体が利用されてもよい。コンピュータ読取可能な媒体の他の非限定的な例は、フラッシュ型メモリ又は他の既知のメモリを含む。
【００６９】
実施形態の特徴及び要素がそれら実施形態において具体的な組み合わせで説明されているものの、各特徴又は要素は、それら実施形態の他の特徴及び要素無しで単独で使用されることができ、又は、ここで開示した他の特徴及び要素があっても無くても多様な組み合わせで使用されることができる。本出願において提供されている方法及びフローチャートは、具体的にプログラミングされたコンピュータ又はプロセッサによる実行のためにコンピュータ読取可能な記憶媒体において有形に具現化された、コンピュータプログラム、ソフトウェア又はファームウェアで実装されてもよい。
【図１】
0006573718.tif 000005
【図２】
0006573718.tif 000006
【図３】
0006573718.tif 000007
【図４】
0006573718.tif 000008
【図５】
0006573718.tif 000009